(57)【要約】      （修正有）【課題】明るく素晴らしいウェルカム雰囲気を示し、さらに車両の近くに美的な視覚感が現れるとともに、照明の用途にも適用できるウェルカムランプを提供する。【解決手段】放熱体１と、導熱回路板２と、ケース３と、集光レンズ手段４と、フィルム５と、光学ミラー構造６とを含む。そのうち、前記放熱体は導熱壁１１を有し、前記導熱回路板は、少なくとも一つの発光素子２１を有し、且つ、前記導熱回路板が前記導熱壁に一体に固定され、前記ケースが前記導熱回路板に固定され、前記集光レンズ手段が前記ケース内の一方に設けられ、前記光学ミラー構造が前記ケース内の他方に設けられ、前記フィルムが前記ケース内の前記集光レンズ手段と前記光学ミラー構造との間に設けられることによって、前記発光素子からの光は、前記集光レンズ手段及び前記フィルムを介して前記光学ミラー構造から出射する。【選択図】図１
0003163899.tif 000002
【実用新案登録請求の範囲】
【請求項１】
導熱壁を有する放熱体と、
少なくとも一つの発光素子を有し、且つ、前記導熱壁に一体に固定された導熱回路板と、
前記導熱回路板に固定されたケースと、
前記ケース内の一方に設けられた集光レンズ手段と、
前記ケース内の他方に設けられた光学ミラー構造と、
前記ケース内の前記集光レンズ手段と前記光学ミラー構造との間に設けられたフィルムとを含み、
前記発光素子からの光は、前記集光レンズ手段及び前記フィルムを介して前記光学ミラー構造から出射することを特徴とするウェルカムランプ。
【請求項２】
前記光学ミラー構造は、第１のレンズを有し、前記第１のレンズが前記ケースの先端に設けられ、前記集光レンズ手段が前記ケースの後端に設けられ、前記ケースの後端が前記導熱回路板に固定されたことを特徴とする請求項１に記載のウェルカムランプ。
【請求項３】
前記光学ミラー構造は、第２のレンズをさらに有し、前記第２のレンズが前記ケース内の前記第１のレンズと前記フィルムとの間に設けられたことを特徴とする請求項２に記載のウェルカムランプ。
【請求項４】
前記第１のレンズ及び前記第２のレンズは、平凸レンズと両凸レンズ、平凸レンズと凸凹レンズ、平凸レンズと両凹レンズ、平凸レンズと平凸レンズ、両凸レンズと両凸レンズ、両凸レンズと凸凹レンズ、両凸レンズと両凹レンズ、両凸レンズと平凸レンズ、凸凹レンズと両凸レンズ、凸凹レンズと凸凹レンズ、凸凹レンズと両凹レンズ、凸凹レンズと平凸レンズ、両凹レンズと両凸レンズ、両凹レンズと凸凹レンズ、両凹レンズと両凹レンズ、両凹レンズと平凸レンズのうちの一つ配置であることを特徴とする請求項３に記載のウェルカムランプ。
【請求項５】
前記ケースは、第１のケースと第２のケースとを含み、前記第１及び第２のケースは、それぞれ突き合わせられ、前記集光レンズ手段が前記第２のケース内に設けられ、前記光学ミラー構造が前記第１のケース内に設けられ、前記フィルムが前記第１及び第２のケースの間に挟まれ、前記第２のケースが前記導熱回路板に固定されたことを特徴とする請求項１に記載のウェルカムランプ。
【請求項６】
さらに、位置決めリングを有し、前記位置決めリングが前記第１のケース内に設けられ、前記フィルムが前記位置決めリングと前記第２のケースとの間に挟まれたことを特徴とする請求項５に記載のウェルカムランプ。
【請求項７】
前記第１のケースは、切り欠きを有し、前記フィルムは、前記切り欠きに対応する位置決め体を有し、前記フィルムの位置決め体は、前記第１のケースの切り欠き内に係止して位置決めされることを特徴とする請求項５に記載のウェルカムランプ。
【請求項８】
前記第１のケースは、少なくとも一つの係合体を有し、前記第２のケースは、前記係合体に対応する少なくとも一つの係合穴を有し、前記第１のケースの係合体が前記第２のケースの係合穴に係合されることで互いに突き合わせられるようになることを特徴とする請求項５に記載のウェルカムランプ。
【請求項９】
前記放熱体は、凹部を備え、前記凹部の一端が前記導熱壁に阻止され、前記導熱回路板と前記集光レンズ手段、前記フィルム及び前記光学ミラー構造が設けられた前記ケースとは、前記凹部の他端から前記導熱壁に固定されたことを特徴とする請求項１に記載のウェルカムランプ。
【請求項１０】
前記導熱回路板は、アルミニウム基板であることを特徴とする請求項１に記載のウェルカムランプ。
【請求項１１】
前記発光素子は、発光ダイオードであることを特徴とする請求項１に記載のウェルカムランプ。
【請求項１２】
前記ケースは、長円筒形状であることを特徴とする請求項１に記載のウェルカムランプ。
【考案の詳細な説明】
【技術分野】
【０００１】
本考案は、ウェルカムランプに係り、特に、車両用として且つウェルカムの文字や模様を車両外の地面に投射させるウェルカムランプに関るものである。
【背景技術】
【０００２】
ゲストを迎える時に、ゲスト車でゲストをＡ地からＢ地まで送らなければならないことはしばしばあるので、ゲストに対する歓迎の旨を表すために、車両ドアの足元の地面に赤い絨毯を敷いて、ゲストが赤い絨毯の上に足を運び乗車、下車させることは普通である。
【０００３】
しかしながら、上記の車両ドアの前に赤い絨毯を敷く伝統的な歓迎方式は、天候が暗く或いは夜の場合には、ゲストが地面に敷いた赤い絨毯をあまりにも良く見えず、赤い絨毯でゲストを迎える意義が失ってしまうことになる。
【０００４】
さらに、上記の車両ドアの前に赤い絨毯を敷く伝統的な歓迎方式は、ゲストにウェルカムの雰囲気を良く与えられないことが従来から指摘されてきた。
【０００５】
そのため、上記の伝統的な欠点を完全に克服できる本考案をどうすれば設計できるかが、本考案の解決しようとする課題である。
【考案の概要】
【考案が解決しようとする課題】
【０００６】
本考案の目的は、ウェルカムの文字や模様を車両から車両側の地面に投射させることにより、伝統の拘束から解放されることだけではなく、明るく素晴らしいウェルカム雰囲気を示し、さらに車両の近くに美的な視覚感が現れるとともに、照明の用途にも適用でき、天候が暗く或いは夜の場合であっても心配はないウェルカムランプを提供することにある。
【０００７】
本考案の次の目的は、車内コントローラでオン・オフを制御し、もしくは、車両ドアのオープンやクローズによりオン・オフし、さらに、リモコン方式で車を探すための機能を備えるウェルカムランプを提供することにある。
【課題を解決するための手段】
【０００８】
前記目的を達成するため、本考案に係るウェルカムランプは、放熱体と、導熱回路板と、ケースと、集光レンズ手段と、フィルムと、光学ミラー構造とを含む。そのうち、前記放熱体は導熱壁を有し、前記導熱回路板は、少なくとも一つの発光素子を有し、且つ、前記導熱回路板が前記導熱壁に一体に固定され、前記ケースが前記導熱回路板に固定され、前記集光レンズ手段が前記ケース内の一方に設けられ、前記光学ミラー構造が前記ケース内の他方に設けられ、前記フィルムが前記ケース内の前記集光レンズ手段と前記光学ミラー構造との間に設けられることによって、前記発光素子からの光は、前記集光レンズ手段及び前記フィルムを介して前記光学ミラー構造から出射する。
【０００９】
従って、ウェルカムの文字や模様を車両から車両側の地面に投射させることができるので、伝統の拘束から解放されることだけではなく、明るく素晴らしいウェルカム雰囲気を示し、さらに車両の近くに美的な視覚感が現れるとともに、照明の用途にも適用でき、天候が暗く或いは夜の場合であっても心配はない。
【００１０】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１１】
【図１】図１は、本考案に係るウェルカムランプの分解斜視図である。
【図２】図２は、本考案に係るウェルカムランプの組合斜視図である。
【図３】図３は、本考案に係るウェルカムランプの断面図である。
【図４】図４は、本考案に係る車両に適用されるウェルカムランプの第１実施例を示す図である。
【図４Ａ】図４Ａは、図４のＡ部の一部拡大図である。
【図５】図５は、本考案に係る車両に適用されるウェルカムランプの第２実施例を示す図である。
【考案を実施するための形態】
【００１２】
本考案は、車両用のウェルカムランプを提供し、文字や模様付き光を車両外の地面に投射させることにより、ゲストを迎える目的に達する。図１〜図４及び図４Ａは、本考案に係る車両に適用されるウェルカムランプの第１実施例を示し、図５は、本考案に係る車両に適用されるウェルカムランプの第２実施例を示す。
【００１３】
図１〜図４及び図４Ａに示すように、本考案に係るウェルカムランプ１００は、放熱体１と、導熱回路板２と、ケース３と、集光レンズ手段（例えば、LED Lens）４と、フィルム５と、光学ミラー構造６とを含み、さらに、ウェルカムランプ１００が位置決めリングを有することはこのましい。
【００１４】
放熱体１は、放熱効率のある材質からなり、図に示すように、放熱を加速させるため、外壁に複数の不規則な形状のリブが形成され、放熱体１は導熱壁１１を有し、放熱体１全体に後述の発光素子２１から生じた熱を導熱壁１１により拡散することができる。放熱体１は、さらに、凹部１２と、一対凸部１３と、導熱壁１１に設けられた複数の固定孔１１１とを備え、凹部１２の一端が導熱壁１１に阻止され、他端が解放状の開放端であり、一対凸部１３が放熱体１の対向の両側に形成され、その上に固定部材（３０３、図４Ａに示すように）を挿通させるための貫通孔（図に符号を示せず）が開設されることが、より好ましい。
【００１５】
導熱回路板２は、導熱機能のある回路板、例えば、アルミニウム基板である。導熱回路板２は、少なくとも一つの発光素子（例えば、発光ダイオード）２１を有し、且つ、導熱回路板２が導熱壁１１に一体に固定されるので、発光素子２１から生じた熱がまず導熱回路板２に伝達され、さらに導熱壁１１を介して放熱体１全体に拡散される。導熱回路板２は、少なくとも2つの電極２２の外、上記複数の固定孔１１１に対応する複数の貫通孔２３（図に示すように、それぞれが２つの固定孔１１１と２つの貫通孔２３とであり）がさらに設けられることは、このましい。
【００１６】
図３に示すように、ケース３内の一方に集光レンズ手段４が設けられ、他方に光学ミラー構造６が設けられ、様々な文字や模様を設置するためのフィルム５がケース３内の集光レンズ手段４と光学ミラー構造６との間に設けられる。また、ケース３が導熱回路板２に固定されたので、発光素子２１からの光は、集光レンズ手段４及びフィルム５を介して光学ミラー構造６から出射し、且つ、出射した光がフィルム５上の文字や模様（例えば、歓迎やWelcomeなど）が付いており、ゲストを迎える効果を備えるようになる。
【００１７】
光学ミラー構造６は、第１のレンズ６１を有することがこのましく、第２のレンズ６２を有することは、より好ましい。そのうち、光学ミラー構造６の第１のレンズ６１がケース３の先端に設けられ、集光レンズ手段４がケース３の後端に設けられ、ケース３の後端が導熱回路板２に固定され、また、第２のレンズ６２がケース３内の第１のレンズ６１とフィルム５との間に設けられている。
【００１８】
ケース３は、第１のケース３１と第２のケース３２を含み、ウェルカムランプ１００は、さらに位置決めリング７を有することが、このましい。そのうち、ケース３の第１及び第２のケース３１、３２は、それぞれ突き合わせられ、図に示すように、第１のケース３１は、一対の係合体３１１を有し、第２のケース３２は、係合体３１１に対応する一対の係合穴３２１を有し、第１のケース３１の係合体３１１が第２のケース３２の係合穴３２１に係合されることで互いに突き合わせられるようになる。このとき、図３に合わせて参照すると、集光レンズ手段４が第２のケース３２内に配置され、光学ミラー構造６が第１のケース３１内に配置され、フィルム５が第１及び第２のケース３１、３２の間に挟まれ、ケース３は、第２のケース３２で導熱回路板２に固定され、且つ、第１のレンズ６１が第１のケース３１内の先端に設置され、第２のレンズ６２が第１のケース３１内の略中間または後端に近い略後端に設置された。フィルム５上の文字や模様をより大きく拡大しまたはより遠く投射するため、ケース３は、長円筒形状であり、その実施例として、第１のケース３１を長くすることや、第２のケース３２を長くすること、または第１、第２のケース３１、３２をともに長くすることであれば良い。
【００１９】
第２のケース３２は、一対の凸耳３２２を有し、凸耳３２２は、それぞれ貫通孔３２３を形成し、両貫通孔３２３が、それぞれ、導熱回路板２の両貫通孔２３に対応するので、固定部材３２４が貫通孔３２３、貫通孔２３及び固定孔１１１に固定されることにより、放熱体１の導熱壁１１に第２のケース３２と導熱回路板２とを固定することができる。
【００２０】
第２のケース３２の内壁は、凸リブ３２５が環設され、位置決めリング７が第１のケース３１内に設けられ、図３に合わせて参照すると、集光レンズ手段４が凸リブ３２５と導熱回路板２との間に規制され、フィルム５が位置決めリング７と凸リブ３２５との間に挟まれた。また、図３に示すように、第１のケース３１の一端周縁が、第２のケース３２と凸リブ３２５との間に挿着された。
【００２１】
第１のケース３１の当該端の周縁は、さらに、切り欠き３１２を有し、フィルム５は、切り欠き３１２に対応する位置決め体５１を有し、フィルム５の位置決め体５１は、第１のケース３１の切り欠き３１２内に係止して位置決めされる。
【００２２】
導熱回路板２と集光レンズ手段４、フィルム５及び光学ミラー構造６が設けられたケース３とは、放熱体１の凹部１２の開放端から導熱壁１１に固定され、図に示すように、固定部材３２４が貫通孔３２３、貫通孔２３及び固定孔１１１に固定されることにより、放熱体１の導熱壁１１にケース３の第２のケース３２と導熱回路板２とをともに固定することができる。
【００２３】
図２に示すように、駆動器８の二本のケーブル８１が導熱回路板２の両電極２２にそれぞれ電気的に接続され、駆動器８により発光素子２１の発光を駆動することができる。
【００２４】
〈第１実施例〉
図４及び図４Ａに示すように、本考案の第１実施例は、車両２００のリヤビューミラーケース３００内に本考案に係るウェルカムランプ１００を取り付けている。
【００２５】
図に示すように、リヤビューミラーケース３００の底部に透光孔３０１が開設され、本考案に係るウェルカムランプ１００が透光孔３０１に対応するリヤビューミラーケース３００内に取り付けられ、固定部材３０３で凸部１３上の貫通孔に挿通することによりリヤビューミラーケース３００に一体固定され、また、リヤビューミラーケース３００内にウェルカムランプ１００の凸部１３に対応する一対の固定座３０２が形成され、固定部材３０３で凸部１３上の貫通孔に挿通することにより固定座３０２に固定されることは、好ましい。
【００２６】
〈第２実施例〉
ウェルカムランプ１００が車両２００のあらゆる場所に取り付けることができ、図５に示すように、車両２００の底部４００に取り付けられ、勿論、本考案に係るウェルカムランプ１００が投射する光を透光孔から出射するため、底部にも図に示さない透光孔が開設されている。
【００２７】
〈第１、第２のレンズの配置方式〉
第１のレンズ６１及び第２のレンズ６２は、様々な異なるレンズの配置組み合いであれば良い、例として、平凸レンズと両凸レンズ（すなわち、第１のレンズ６１が平凸レンズ及び第２のレンズ６２が両凸レンズであり）、平凸レンズと凸凹レンズ、平凸レンズと両凹レンズ、平凸レンズと平凸レンズ、両凸レンズと両凸レンズ、両凸レンズと凸凹レンズ、両凸レンズと両凹レンズ、両凸レンズと平凸レンズ、凸凹レンズと両凸レンズ、凸凹レンズと凸凹レンズ、凸凹レンズと両凹レンズ、凸凹レンズと平凸レンズ、両凹レンズと両凸レンズ、両凹レンズと凸凹レンズ、両凹レンズと両凹レンズ、両凹レンズと平凸レンズを挙げられる。
【００２８】
本考案に係るウェルカムランプは、ウェルカムランプ１００の設計により、将来にゲストを迎える時に、所定のウェルカムの文字や模様を車両側の地面に投射させることができるので、伝統の拘束から解放されることだけではなく、明るく素晴らしいウェルカム雰囲気を示し、さらに車両の近くに美的な視覚感が現れるとともに、照明の用途にも適用でき、天候が暗く或いは夜の場合であっても心配はない。また、本考案に係るウェルカムランプ１００は、車内に設けられたコントローラでオン・オフを制御しても良いか、車両ドアのオープンやクローズによりオン・オフすることもでき、さらに、リモコン方式で車を探すための機能としても良い、その機能性が一つだけに限られていない。
【００２９】
以上のように単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００３０】
１００・・・ウェルカムランプ
１・・・・・放熱体
２・・・・・導熱回路板
３・・・・・ケース
４・・・・・集光レンズ手段
５・・・・・フィルム
６・・・・・光学ミラー構造
７・・・・・位置決めリング
８・・・・・駆動器
１１・・・・導熱壁
１２・・・・凹部
１３・・・・凸部
２１・・・・発光素子
２２・・・・電極
２３・・・・貫通孔
３１・・・・第１のケース
３２・・・・第２のケース
５１・・・・位置決め体
６１・・・・第１のレンズ
６２・・・・第２のレンズ
８１・・・・ケーブル
１１１・・・固定孔
２００・・・車両
３００・・・リヤビューミラーケース
３０１・・・透光孔
３０２・・・固定座
３０３・・・固定部材
３１１・・・係合体
３１２・・・切り欠き
３２１・・・係合穴
３２２・・・凸耳
３２３・・・貫通孔
３２４・・・固定部材
３２５・・・凸リブ
４００・・・底部
【図１】
0003163899.tif 000003
【図２】
0003163899.tif 000004
【図３】
0003163899.tif 000005
【図４】
0003163899.tif 000006
【図４Ａ】
0003163899.tif 000007
【図５】
0003163899.tif 000008